(57)【要約】【課題】デザイン性を高めるためにスライド機構を隠蔽した場合にも、収納棚の収納スペースを大きく確保することができるスライド式の収納扉を提供する。【解決手段】第１扉を支持する第１支持部と、第２扉を支持する第２支持部と、収納棚又は隠蔽部材によって隠蔽される位置に配置され、前記第１扉と前記第２扉との隣接する方向に直線状に延びるスライドレールを有し、前記スライドレールによって前記第１支持部を支持することにより、第１閉じ位置と第１開き位置との間で前記隣接する方向に前記第１扉をスライド移動させるとともに、前記第２支持部を支持することにより、第２閉じ位置と第２開き位置との間で前記第２扉を移動させるスライド機構と、を備えたことを特徴とするスライド式の収納扉である。【選択図】図１
2020026658.tif 000002
【特許請求の範囲】
【請求項１】
収納棚の前方に設けられ、隣接する第１扉と第２扉とを有し、少なくとも前記第１扉をスライド式とし、前記第１扉及び前記第２扉によって前記収納棚の収納スペースを開閉するとともに、前記第１扉と前記第２扉とを閉じた全閉時には隣接した前記第１扉と前記第２扉とをフラットな状態とするスライド式の収納扉であって、
前記第１扉を支持する第１支持部と、
前記第２扉を支持する第２支持部と、
前記収納棚又は隠蔽部材によって隠蔽される位置に配置され、前記第１扉と前記第２扉との隣接する方向に直線状に延びるスライドレールを有し、前記スライドレールによって前記第１支持部を支持することにより、第１閉じ位置と第１開き位置との間で前記隣接する方向に前記第１扉をスライド移動させるとともに、前記第２支持部を支持することにより、第２閉じ位置と第２開き位置との間で前記第２扉を移動させるスライド機構と、
を備えたことを特徴とするスライド式の収納扉。
【請求項２】
前記第１扉は、前記第１閉じ位置にある状態において、前記第２閉じ位置にある前記第２扉と対向する第１側端面を有し、
前記第２扉は、前記第２閉じ位置にある状態において、前記第１閉じ位置にある前記第１扉の前記第１側端面と対向する第２側端面を有し、
前記第１支持部と前記第２支持部と前記スライド機構とは、前記第１扉の前記第１閉じ位置から前記第１開き位置への移動に応じて、前記第１側端面及び前記第２側端面の一方が他方に対して前方に移動するように前記第１扉及び前記第２扉の一方を傾斜させることにより、前記第１開き位置において前記第１扉が前記第２扉と前後に重なり合うようにすることを特徴とする請求項１記載のスライド式の収納扉。
【請求項３】
前記第１支持部と前記第２支持部と前記スライド機構とは、前記第１扉の前記第１閉じ位置から前記第１開き位置への移動に応じて、前記第１扉及び前記第２扉の一方を傾斜させるとともに、前記第１扉と前記第２扉とを平行に近付けるように、前記第１扉及び前記第２扉の他方を傾斜させることを特徴とする請求項２記載のスライド式の収納扉。
【請求項４】
前記第１支持部と前記第２支持部と前記スライド機構とは、前記第１扉の前記第１閉じ位置から前記第１開き位置への移動の操作力によって前記第１扉を傾斜させるとともに、前記操作力を機械的に前記第２扉に伝達することにより、前記第２扉を傾斜させることを特徴とする請求項３記載のスライド式の収納扉。
【請求項５】
前記スライド機構は、前記スライドレールによって前記第２支持部を支持することにより、前記第２閉じ位置と前記第２開き位置との間で前記隣接する方向に前記第２扉をスライド移動させることを特徴とする請求項１〜４のいずれか１つに記載のスライド式の収納扉。
【請求項６】
前記収納棚は、キッチン空間に設置されることを特徴とする請求項１〜５のいずれか１つに記載のスライド式の収納扉。
【発明の詳細な説明】
【技術分野】
【０００１】
本発明の態様は、一般的に、スライド式の収納扉に関する。
【背景技術】
【０００２】
収納棚の前方に設けられ、収納棚の収納スペースを開閉する収納扉において、隣接する第１扉と第２扉とを有し、少なくとも第１扉をスライド式とする構成がある。こうしたスライド式の収納扉において、デザイン性を向上させるために、第１扉と第２扉とが閉じた全閉状態において、第１扉と第２扉とをフラットな状態にすることが行われている。
【０００３】
例えば、特許文献１では、左右方向に延びるメインガイドと、メインガイドから後方に向かって延びるサブガイドと、を設けている。１つの扉は、メインガイドにより、別の扉の前方を左右に移動することができる。そして、１つの扉は、サブガイドによってメインガイドから後方に移動することにより、別の扉とフラットな状態となる。これにより、全閉時には隣接した第１扉と第２扉とがフラットな状態になり、スライド式の第１扉を開放した際には、第１扉と第２扉とを前後に重なり合わせることができる。
【０００４】
近年、例えば洗面空間やキッチン空間などでは、デザイン性の高い収納が求められている。そこで、第１扉及び第２扉を開閉するためのスライド機構を隠蔽することが考えられる。しかしながら、特許文献１のような構成では、隣接する第１扉と第２扉とをフラットな状態から扉同士が重なる状態へ可動させるために、スライド機構の奥行長さが必要となってしまう。すなわち、サブガイドの長さ分だけ、奥行方向の長さが必要となり、収納棚の収納スペースを圧迫してしまうことが懸念される。
【０００５】
このため、スライド式の収納扉では、デザイン性を高めるためにスライド機構を隠蔽した場合にも、収納棚の収納スペースを大きく確保できるようにすることが望まれる。
【先行技術文献】
【特許文献】
【０００６】
【特許文献１】特開２００９−２１５２号公報
【発明の概要】
【発明が解決しようとする課題】
【０００７】
本発明は、かかる課題の認識に基づいてなされたものであり、デザイン性を高めるためにスライド機構を隠蔽した場合にも、収納棚の収納スペースを大きく確保することができるスライド式の収納扉を提供することを目的とする。
【課題を解決するための手段】
【０００８】
第１の発明は、収納棚の前方に設けられ、隣接する第１扉と第２扉とを有し、少なくとも前記第１扉をスライド式とし、前記第１扉及び前記第２扉によって前記収納棚の収納スペースを開閉するとともに、前記第１扉と前記第２扉とを閉じた全閉時には隣接した前記第１扉と前記第２扉とをフラットな状態とするスライド式の収納扉であって、前記第１扉を支持する第１支持部と、前記第２扉を支持する第２支持部と、前記収納棚又は隠蔽部材によって隠蔽される位置に配置され、前記第１扉と前記第２扉との隣接する方向に直線状に延びるスライドレールを有し、前記スライドレールによって前記第１支持部を支持することにより、第１閉じ位置と第１開き位置との間で前記隣接する方向に前記第１扉をスライド移動させるとともに、前記第２支持部を支持することにより、第２閉じ位置と第２開き位置との間で前記第２扉を移動させるスライド機構と、を備えたことを特徴とするスライド式の収納扉である。
【０００９】
このスライド式の収納扉によれば、直線状に延びるスライドレールに沿って第１支持部及び第１扉をスライド移動させることで、第１扉を第１閉じ位置から第１開き位置に移動させることができ、第１支持部と第２支持部との前後方向の位置関係をずらす必要が無い。これにより、スライド機構の奥行をコンパクトにすることが可能となる。従って、デザイン性を高めるためにスライド機構を隠蔽した場合にも、収納棚の収納スペースを大きく確保することができるスライド式の収納扉を提供することができる。
【００１０】
第２の発明は、第１の発明において、前記第１扉は、前記第１閉じ位置にある状態において、前記第２閉じ位置にある前記第２扉と対向する第１側端面を有し、前記第２扉は、前記第２閉じ位置にある状態において、前記第１閉じ位置にある前記第１扉の前記第１側端面と対向する第２側端面を有し、前記第１支持部と前記第２支持部と前記スライド機構とは、前記第１扉の前記第１閉じ位置から前記第１開き位置への移動に応じて、前記第１側端面及び前記第２側端面の一方が他方に対して前方に移動するように前記第１扉及び前記第２扉の一方を傾斜させることにより、前記第１開き位置において前記第１扉が前記第２扉と前後に重なり合うようにすることを特徴とするスライド式の収納扉である。
【００１１】
このスライド式の収納扉によれば、第１扉の第１閉じ位置から第１開き位置への移動に応じて、第１扉及び第２扉の一方を傾斜させることにより、第１開き位置において第１扉と第２扉とを前後に重なり合わせることができる。これにより、第１扉と第２扉とがフラットな状態から第１支持部及び第１扉をスライドレールに沿って直線状に移動させるようにした場合にも、第１扉及び第２扉の少なくとも一方に折り畳み機構などを設けることが不要となる。従って、第１扉及び第２扉を一枚板状に形成することが可能となり、よりデザイン性を向上させることができる。
【００１２】
第３の発明は、第２の発明において、前記第１支持部と前記第２支持部と前記スライド機構とは、前記第１扉の前記第１閉じ位置から前記第１開き位置への移動に応じて、前記第１扉及び前記第２扉の一方を傾斜させるとともに、前記第１扉と前記第２扉とを平行に近付けるように、前記第１扉及び前記第２扉の他方を傾斜させることを特徴とするスライド式の収納扉である。
【００１３】
このスライド式の収納扉によれば、第１扉及び第２扉の一方を傾斜させつつ、第１扉と第２扉とを平行に近付けるように、第１扉及び第２扉の他方を傾斜させることにより、第１扉を第１開き位置に移動させた際に第１扉と第２扉との間に設けられる隙間を小さくすることでき、開放時のデザイン性をより向上させることができる。また、第１扉を第１開き位置に移動させた際に第１扉と第２扉との間に設けられる隙間を小さくすることで、第１開き位置における収納スペースの開放量を大きくすることができる。例えば、第１側端面を第２支持部の付近まで移動させ、第１扉と第２扉との重なり量を大きくすることができる。そして、これにより、例えば、第１扉を開放する操作にて、第２扉の後方に位置する収納スペースに対しても物品を出し入れし易くすることができ、使い勝手を向上させることができる。
【００１４】
第４の発明は、第３の発明において、前記第１支持部と前記第２支持部と前記スライド機構とは、前記第１扉の前記第１閉じ位置から前記第１開き位置への移動の操作力によって前記第１扉を傾斜させるとともに、前記操作力を機械的に前記第２扉に伝達することにより、前記第２扉を傾斜させることを特徴とするスライド式の収納扉である。
【００１５】
このスライド式の収納扉によれば、第１扉及び第２扉を傾斜させる構成を、簡単な構成で実現することができる。
【００１６】
第５の発明は、第１〜第４のいずれか１つの発明において、前記スライド機構は、前記スライドレールによって前記第２支持部を支持することにより、前記第２閉じ位置と前記第２開き位置との間で前記隣接する方向に前記第２扉をスライド移動させることを特徴とするスライド式の収納扉である。
【００１７】
このスライド式の収納扉によれば、第１扉及び第２扉のどちらもスライド移動可能とすることにより、収納扉の使い勝手をより向上させることができる。例えば、第１扉及び第２扉を上下に隣接させ、第１扉及び第２扉を上下にスライド移動させる場合には、使用者の高さに合わせた最適な高さで第１扉及び第２扉の開閉が可能となる。また、例えば、第１扉及び第２扉を左右に隣接させ、第１扉及び第２扉を左右にスライド移動させる場合には、左右どちらからでも開閉することが可能となり、使用場所の限定などを抑制することができる。
【００１８】
第６の発明は、第１〜第５のいずれか１つの発明において、前記収納棚は、キッチン空間に設置されることを特徴とするスライド式の収納扉である。
【００１９】
このスライド式の収納扉によれば、スペースが限られるキッチン空間においても、デザイン性を維持しつつ、収納棚の収納スペースを大きく確保することができる。
【発明の効果】
【００２０】
本発明の態様によれば、デザイン性を高めるためにスライド機構を隠蔽した場合にも、収納棚の収納スペースを大きく確保することができるスライド式の収納扉が提供される。
【図面の簡単な説明】
【００２１】
【図１】実施形態に係る収納扉を備えたキャビネットを模式的に表す斜視図である。
【図２】図２（ａ）〜図２（ｄ）は、実施形態に係る収納扉を備えたキャビネットを模式的に表す側面図である。
【図３】実施形態に係る収納扉の一部を拡大して模式的に表す部分側面図である。
【図４】実施形態に係る収納扉の一部を拡大して模式的に表す部分側面図である。
【図５】実施形態に係る収納扉の一部を拡大して模式的に表す部分側面図である。
【図６】実施形態に係る収納扉の一部を拡大して模式的に表す部分側面図である。
【図７】実施形態に係る収納扉の一部を拡大して模式的に表す部分側面図である。
【図８】実施形態に係る収納扉の一部を拡大して模式的に表す分解斜視図である。
【図９】実施形態に係る収納扉の一部を拡大して模式的に表す部分側面図である。
【図１０】実施形態に係る収納扉の一部を拡大して模式的に表す部分側面図である。
【図１１】実施形態に係る収納扉の一部を拡大して模式的に表す部分側面図である。
【図１２】実施形態に係る収納扉の一部を拡大して模式的に表す部分側面図である。
【図１３】実施形態に係る収納扉を備えたキャビネットの変形例を模式的に表す側面図である。
【図１４】図１４（ａ）〜図１４（ｃ）は、実施形態に係る収納扉を備えたキャビネットの変形例を模式的に表す側面図である。
【発明を実施するための形態】
【００２２】
以下、本発明の実施の形態について図面を参照しつつ説明する。なお、各図面中、同様の構成要素には同一の符号を付して詳細な説明は適宜省略する。
【００２３】
図１は、実施形態に係る収納扉を備えたキャビネットを模式的に表す斜視図である。  
図１に表したように、キャビネット１０は、収納棚１２と、収納扉１４と、を備える。
【００２４】
収納棚１２は、前方を開口させた開口箱状である。収納棚１２は、例えば、略矩形の開口箱状である。収納棚１２は、前方を開放した収納スペースＳＰ（図２参照）を有し、収納スペースＳＰに物品を収納可能とする。
【００２５】
キャビネット１０は、例えば、キッチン空間に設置されるキッチンキャビネットである。収納棚１２は、キッチン空間に設置される。キャビネット１０は、例えば、対面式のシステムキッチンの後方に背面収納として設置され、収納スペースＳＰに食器や調理器具などの物品を収納する。
【００２６】
但し、キャビネット１０の用途は、上記に限定されるものではない。キャビネット１０は、例えば、システムキッチンのシンクやカウンタの下方など、システムキッチンに組み込まれて使用されるキッチンキャビネットなどでもよい。また、キャビネット１０は、キッチンキャビネットに限ることなく、他の用途で用いられる任意のキャビネットでよい。収納棚１２は、キッチン空間に設置される収納棚に限ることなく、洗面空間やトイレ空間などに設置される収納棚でもよい。
【００２７】
収納扉１４は、収納棚１２の前方に設けられる。以下、本願明細書においては、収納棚１２に対して収納扉１４の設けられる方向を「前方」とし、これと反対の方向を「後方」とする。そして、前方を向いた状態における上方、下方、右側方、及び左側方を、それぞれ「上方」、「下方」、「右側方」、及び「左側方」とする。前方は、換言すれば、収納棚１２の開口する方向である。
【００２８】
収納扉１４は、隣接する第１扉２１と第２扉２２とを備える。この例において、第１扉２１及び第２扉２２は、上下方向に隣接している。第１扉２１及び第２扉２２は、例えば、左右方向に隣接してもよい。
【００２９】
第１扉２１及び第２扉２２は、スライド式である。但し、収納扉１４においては、少なくとも第１扉２１が、スライド式であればよい。第２扉２２は、例えば、ヒンジ式の扉などでもよい。また、この例では、第１扉２１及び第２扉２２を上下方向に隣接させる場合に、下側を第１扉２１とし、上側を第２扉２２としている。これとは反対に、上側を第１扉２１とし、下側を第２扉２２としてもよい。第１扉２１及び第２扉２２を左右方向に並べる場合には、右側を第１扉２１としてもよいし、左側を第１扉２１としてもよい。
【００３０】
第１扉２１及び第２扉２２を上下方向にスライド移動可能とした場合、収納扉１４は、例えば、図示を省略した落下防止機構をさらに備える。落下防止機構は、例えば、バネなどを有し、バネなどの付勢力を第１扉２１及び第２扉２２の重さとバランスさせることにより、第１扉２１及び第２扉２２を上下方向の所望の位置で保持できるようにする。但し、落下防止機構の構成は、これに限ることなく、上下にスライド移動する第１扉２１及び第２扉２２の急激な落下を抑制することができる任意の構成でよい。また、例えば、第１扉２１及び第２扉２２を左右方向にスライド移動させるようにした場合には、落下防止機構は、不要である。
【００３１】
第１扉２１は、前方を向く前面２１ａを有する。第２扉２２は、前方を向く前面２２ａを有する。第１扉２１及び第２扉２２の形状は、例えば、収納棚１２の形状に対応した略矩形状である。第１扉２１及び第２扉２２は、例えば、略矩形の板状である。
【００３２】
第１扉２１及び第２扉２２の厚みは、例えば、夫々２１ｍｍであり、その際、隣接する第１扉２１と第２扉２２とにおいて、第１扉２１と第２扉２２との間の隣接する方向（例えば上下方向）の隙間ＧＰは、５ｍｍ程度（例えば２ｍｍ以上８ｍｍ以下）である。換言すれば、前面２１ａと前面２２ａとの間の隙間ＧＰは、５ｍｍ程度である。これにより、収納扉１４において高いデザイン性を得ることができる。
【００３３】
第１扉２１及び第２扉２２は、全閉時において、収納棚１２の前方を向く開口１２ａ（図２参照）の全体を覆う。そして、第１扉２１及び第２扉２２は、全閉時の位置から移動する（開放する）ことにより、収納棚１２の開口１２ａ（収納スペースＳＰ）の一部を前方に露出させる。これにより、第１扉２１又は第２扉２２を開放することで、収納棚１２の収納スペースＳＰに対して物品を出し入れすることが可能となる。
【００３４】
収納扉１４は、２つの扉２１、２２に限ることなく、３つ以上の扉を有してもよい。また、キャビネット１０は、収納扉１４以外の扉や引き出しなどを、さらに備えてもよい。このように、収納扉１４が３つ以上の扉を有する場合やキャビネット１０が別の扉などをさらに備える場合などには、第１扉２１及び第２扉２２は、全閉時において、収納棚１２の前方を向く開口１２ａの一部のみを覆う。すなわち、第１扉２１及び第２扉２２は、全閉時において、収納棚１２の前方を向く開口１２ａの少なくとも一部を覆う構成であればよい。
【００３５】
収納扉１４は、第１扉２１と第２扉２２とを閉じた全閉時には隣接した第１扉２１と第２扉２２とをフラットな状態とする。また、収納扉１４は、第１扉２１又は第２扉２２を開放した際には、第１扉２１と第２扉２２とを前後に重なり合わせる。
【００３６】
ここで、「フラットな状態」とは、例えば、第１扉２１と第２扉２２との隣接部において、第１扉２１の前面２１ａと第２扉２２の前面２２ａとの前後方向の位置の差が、５ｍｍ以下の状態である。この例では、例えば、前面２１ａの上端部と前面２２ａの下端部とにおける前面２１ａと前面２２ａとの前後方向の位置の差が、５ｍｍ以下の状態である。例えば、第１扉２１と第２扉２２とが左右方向に並ぶ場合には、第１扉２１と第２扉２２との隣接部は、前面２１ａ、２２ａの左右端部である。
【００３７】
図２（ａ）〜図２（ｄ）は、実施形態に係る収納扉を備えたキャビネットを模式的に表す側面図である。  
図２（ａ）〜図２（ｄ）に表したように、収納棚１２は、例えば、棚板１２ｂを有する。棚板１２ｂは、収納棚１２の収納スペースＳＰ内に設けられ、収納スペースＳＰを上下に仕切ることにより、収納スペースＳＰを第１空間ＳＰ１と第２空間ＳＰ２とに分割する。第２空間ＳＰ２は、第１空間ＳＰ１の上に設けられる。第１空間ＳＰ１は、換言すれば、下部収納スペースである。第２空間ＳＰ２は、換言すれば、上部収納スペースである。棚板１２ｂは、必要に応じて設けられ、省略可能である。例えば、第１扉２１と第２扉２２とを左右に並べる構成の場合などには、棚板１２ｂを設けなくてもよい。
【００３８】
収納扉１４は、第１支持部３１と、第２支持部３２と、スライド機構３４と、をさらに備える。なお、図２（ａ）〜図２（ｄ）では、便宜的に収納棚１２及び収納扉１４の一部の図示を省略している。具体的には、収納棚１２の側面パネル１２ｃ及び収納扉１４の側面パネル３６（いずれも図１参照）の図示を便宜的に省略している。側面パネル３６は、第１支持部３１、第２支持部３２、及びスライド機構３４の側方に設けられ、これらが側方に露出してしまうことを抑制する。また、図２（ａ）〜図２（ｄ）では、図示を簡単にするため、便宜的に側面パネル１２ｃを省略した収納棚１２の側端面部分にハッチングを施している。
【００３９】
収納扉１４は、例えば、一対の側面パネル３６及び上面パネル３８（図１参照）を有し、一対の側面パネル３６によって第１支持部３１、第２支持部３２、及びスライド機構３４の左右両側方への露出を抑制するとともに、上面パネル３８によって第１支持部３１、第２支持部３２、及びスライド機構３４の上方への露出を抑制する。このように、第１支持部３１、第２支持部３２、及びスライド機構３４は、側面パネル３６や上面パネル３８などの隠蔽部材によって隠蔽される位置に配置される。第１支持部３１、第２支持部３２、及びスライド機構３４は、例えば、収納棚１２の収納スペースＳＰ内に配置し、収納棚１２によって隠蔽されるようにしてもよい。
【００４０】
第１支持部３１、第２支持部３２、及びスライド機構３４は、収納扉１４の左右方向の両端に設けられる。すなわち、収納扉１４は、左右方向の両端に設けられた一対の第１支持部３１と、一対の第２支持部３２と、一対のスライド機構３４と、を備える。
【００４１】
例えば、第１扉２１及び第２扉２２が左右方向にスライド移動する場合には、第１支持部３１、第２支持部３２、及びスライド機構３４が、収納扉１４の上下方向の両端に設けられる。このように、第１支持部３１、第２支持部３２、及びスライド機構３４は、収納扉１４において、第１扉２１及び第２扉２２のスライド移動の方向と直交する方向の両端に設けられる。
【００４２】
但し、第１支持部３１、第２支持部３２、及びスライド機構３４のそれぞれの数は、２つに限ることなく、１つでもよいし、３つ以上でもよい。第１支持部３１、第２支持部３２、及びスライド機構３４の数は、第１支持部３１、第２支持部３２、及びスライド機構３４のそれぞれで異なってもよい。
【００４３】
なお、収納扉１４の左右方向の両端に設けられた一対の第１支持部３１は、左右対称な実質的に同じ構成である。一対の第２支持部３２及び一対のスライド機構３４についても一対の第１支持部３１と同様である。従って、以下では、左右方向の一方の第１支持部３１、第２支持部３２、及びスライド機構３４の構成について説明を行う。
【００４４】
第１支持部３１は、第１扉２１を支持する。第２支持部３２は、第２扉２２を支持する。スライド機構３４は、前述のように、側面パネル３６などの隠蔽部材又は収納棚１２によって隠蔽される位置に配置される。スライド機構３４は、第１支持部３１及び第２支持部３２をスライド移動可能に支持する。例えば、第２扉２２をヒンジ式とする場合などには、スライド機構３４は、第１支持部３１のみをスライド移動可能に支持する。この場合、スライド機構３４は、例えば、ヒンジなどを介して回動可能に第２支持部３２を支持する。
【００４５】
図３は、実施形態に係る収納扉の一部を拡大して模式的に表す部分側面図である。  
図３に表したように、スライド機構３４は、第１扉２１と第２扉２２との隣接する方向に直線状に延びるスライドレール３４ａを有する。この例において、スライドレール３４ａは、第１扉２１及び第２扉２２の隣接する上下方向に直線状に延びる。
【００４６】
スライド機構３４は、スライドレール３４ａによって第１支持部３１を支持することにより、第１閉じ位置（図２（ａ）に示した位置）と第１開き位置（図２（ｃ）に示した位置）との間で隣接する方向（上下方向）に第１扉２１をスライド移動させる。
【００４７】
また、スライド機構３４は、スライドレール３４ａによって第２支持部３２を支持することにより、第２閉じ位置（図２（ａ）に示した位置）と第２開き位置（図２（ｄ）に示した位置）との間で上下方向に第２扉２２をスライド移動させる。
【００４８】
スライドレール３４ａは、例えば、一対の平板３４ｂ、３４ｃによって構成される。一対の平板３４ｂ、３４ｃは、例えば、上下方向に延びるとともに、収納スペースＳＰ側に向かうように側方に延びる。平板３４ｂ、３４ｃは、略平行である。これにより、平板３４ｂ、３４ｃ、及び平板３４ｂ、３４ｃの間の矩形状の空間が、スライドレール３４ａとして機能する。但し、スライドレール３４ａの構成は、上記に限ることなく、第１支持部３１及び第２支持部３２をスライド移動可能に支持することができる任意の構成でよい。なお、図３では、見易くするために、便宜的に、平板３４ｂ、３４ｃの端面にハッチングを施している。
【００４９】
第１扉２１が第１閉じ位置にある状態では、第１空間ＳＰ１の前方が第１扉２１によって覆われる。そして、第１扉２１が第１開き位置にある状態では、第１空間ＳＰ１が、前方に開放される。これにより、第１扉２１を第１開き位置に移動させることにより、第１空間ＳＰ１への物品の出し入れが可能となる。
【００５０】
同様に、第２扉２２が第２閉じ位置にある状態では、第２空間ＳＰ２の前方が第２扉２２によって覆われる。そして、第２扉２２が第２開き位置にある状態では、第２空間ＳＰ２が、前方に開放される。これにより、第２扉２２を第２開き位置に移動させることにより、第２空間ＳＰ２への物品の出し入れが可能となる。
【００５１】
第１支持部３１及びスライド機構３４は、第１扉２１を第２扉２２に接近させる方向への操作のみで第１扉２１を第１閉じ位置から第１開き位置に移動させ、第１扉２１を第２扉２２から離間させる方向への操作のみで第１扉２１を第１開き位置から第１閉じ位置に移動させる。すなわち、この例では、第１扉２１を上方に移動させる操作のみで、第１扉２１が第１閉じ位置から第１開き位置に移動し、第１扉２１を下方に移動させる操作のみで、第１扉２１が第１開き位置から第１閉じ位置に移動する。
【００５２】
第２支持部３２及びスライド機構３４は、第２扉２２を第１扉２１に接近させる方向への操作のみで第２扉２２を第２閉じ位置から第２開き位置に移動させ、第２扉２２を第１扉２１から離間させる方向への操作のみで第２扉２２を第２開き位置から第２閉じ位置に移動させる。すなわち、この例では、第２扉２２を下方に移動させる操作のみで、第２扉２２が第２閉じ位置から第２開き位置に移動し、第２扉２２を上方に移動させる操作のみで、第２扉２２が第２開き位置から第２閉じ位置に移動する。
【００５３】
第１扉２１は、第１閉じ位置にある状態において、第２閉じ位置にある第２扉２２と対向する第１側端面２１ｂを有する。この例において、第１側端面２１ｂは、換言すれば、第１扉２１の上端面である。第１側端面２１ｂは、例えば、第１扉２１の前面２１ａと略直交する。「略直交」とは、例えば、前面２１ａと第１側端面２１ｂとの成す角度が、８８°以上９２°以下の状態である。
【００５４】
なお、前面２１ａと第１側端面２１ｂとの間には、例えば、傾斜面状又は曲面状の面取り部などが設けられていてもよい。また、前面２１ａと前面２２ａとの間の隙間が小さくなるように設けられていれば、第１側端面２１ｂは、前面２１ａと略直交する平面に限ることなく、例えば、湾曲した曲面状などとしてもよい。
【００５５】
第２扉２２は、第２閉じ位置にある状態において、第１閉じ位置にある第１扉２１の第１側端面２１ｂと対向する第２側端面２２ｂを有する。この例において、第２側端面２２ｂは、換言すれば、第２扉２２の下端面である。第２側端面２２ｂは、例えば、第２扉２２の前面２２ａと略直交する。以下、第２側端面２２ｂは、第１側端面２１ｂと同様であるから、詳細な説明は省略する。
【００５６】
第１支持部３１は、第１扉２１の第１側端面２１ｂと反対側の端部を支持する。第１支持部３１は、例えば、第１扉２１の下端部を支持する。第２支持部３２は、第２扉２２の第２側端面２２ｂと反対側の端部を支持する。第２支持部３２は、例えば、第２扉２２の上端部を支持する。
【００５７】
また、第１支持部３１は、例えば、前後方向及び第１扉２１のスライド移動の方向と直交する方向を軸に第１扉２１を回動可能に支持する。すなわち、この例において、第１支持部３１は、前後方向及び上下方向と直交する左右方向を軸に第１扉２１を回動可能に支持する。同様に、第２支持部３２は、左右方向を軸に第２扉２２を回動可能に支持する。これにより、収納扉１４では、図２（ｂ）〜図２（ｄ）に表したように、第１扉２１の下端部を軸に回動させて第１扉２１を傾斜させることができるとともに、第２扉２２の上端部を軸に回動させて第２扉２２を傾斜させることができる。
【００５８】
第１支持部３１、第２支持部３２、及びスライド機構３４は、図２（ｂ）に表したように、第１扉２１の第１閉じ位置から第１開き位置への移動に連動させ、第１扉２１との干渉を避けるように第２扉２２を移動させる。これにより、第１扉２１の移動にともなう第１扉２１と第２扉２２との干渉を抑制することができる。
【００５９】
また、第１支持部３１、第２支持部３２、及びスライド機構３４は、第２扉２２の第２閉じ位置から第２開き位置への移動に連動させ、第２扉２２との干渉を避けるように第１扉２１を移動させる。これにより、第２扉２２の移動にともなう第１扉２１と第２扉２２との干渉も抑制することができる。なお、第２扉２２に連動させて第１扉２１を移動させる動作は、第１扉２１に連動させて第２扉２２を移動させる動作と実質的に同じである。
【００６０】
第１支持部３１、第２支持部３２、及びスライド機構３４は、図２（ｂ）に表したように、第１扉２１の第１閉じ位置から第１開き位置への移動に応じて、第１側端面２１ｂ及び第２側端面２２ｂの一方が他方に対して前方に移動するように第１扉２１及び第２扉２２の一方を傾斜させることにより、第１開き位置において第１扉２１が第２扉２２と前後に重なり合うようにする。
【００６１】
第１支持部３１、第２支持部３２、及びスライド機構３４は、例えば、第１扉２１の第１閉じ位置から第１開き位置への移動の開始と同時に、第１扉２１及び第２扉２２の一方を傾斜させる。
【００６２】
また、第１支持部３１、第２支持部３２、及びスライド機構３４は、第１扉２１の第１閉じ位置から第１開き位置への移動に応じて、第１扉２１及び第２扉２２の一方を傾斜させるとともに、第１扉２１と第２扉２２とを平行に近付けるように、第１扉２１及び第２扉２２の他方を傾斜させる。換言すれば、第１扉２１及び第２扉２２の一方の傾斜に応じて他方を傾斜させ、前面２１ａと前面２２ａとが略平行となるようにする。「略平行」とは、例えば、前面２１ａと前面２２ａとの成す角度が、±２°以下の状態である。
【００６３】
これにより、第１扉２１の挙動及び第２扉２２の挙動を小さくしつつ、第１側端面２１ｂと第２側端面２２ｂとの離間量を大きくすることができ、第１扉２１と第２扉２２との干渉をより確実に抑制することができる。
【００６４】
この例において、第１支持部３１、第２支持部３２、及びスライド機構３４は、第１扉２１の第１閉じ位置から第１開き位置への移動に応じて、第２側端面２２ｂが第１側端面２１ｂに対して前方に移動するように第２扉２２を傾斜させる。そして、第１支持部３１、第２支持部３２、及びスライド機構３４は、第１扉２１と第２扉２２とを平行に近付けるように、第１扉２１を後方側に傾斜させる。
【００６５】
第２扉２２を第２閉じ位置から第２開き位置に移動させる場合には、第１支持部３１、第２支持部３２、及びスライド機構３４は、同様に、第２扉２２の第２閉じ位置から第２開き位置への移動に応じて、第２側端面２２ｂが第１側端面２１ｂに対して前方に移動するように第２扉２２を傾斜させるとともに、第１扉２１と第２扉２２とを平行に近付けるように、第１扉２１を後方側に傾斜させる。
【００６６】
上記のように第１扉２１と第２扉２２とを傾斜させた場合、第１扉２１を前後などに移動させる必要が無く、傾斜した状態の第１扉２１をそのまま上方に移動させるだけで、第１閉じ位置から第１開き位置に第１扉２１を移動させることができる。前述のように、第１扉２１を第２扉２２に接近させる方向への操作のみで第１扉２１を第１閉じ位置から第１開き位置に移動させ、第１扉２１を第２扉２２から離間させる方向への操作のみで第１扉２１を第１開き位置から第１閉じ位置に移動させることができる。
【００６７】
図４〜図７は、実施形態に係る収納扉の一部を拡大して模式的に表す部分側面図である。  
図４は、図２（ａ）の領域Ａの部分を表す。  
図５は、領域Ａの部分を反対側から見た状態を表す。  
図６は、図２（ａ）の領域Ｂの部分を表す。  
図７は、領域Ｂの部分を反対側から見た状態を表す。
【００６８】
図４及び図５に表したように、第１支持部３１は、第１支持本体４０と、第１ヒンジ部４２と、第１アーム部４４と、を有する。第１支持本体４０は、スライド機構３４のスライドレール３４ａに上下方向（第１扉２１の移動方向）に移動可能に支持される。第１ヒンジ部４２は、回転軸４２ａを介して第１支持本体４０に回動自在に支持される。また、第１ヒンジ部４２は、第１扉２１の背面に取り付けられている。これにより、第１扉２１が、第１ヒンジ部４２を介して第１支持本体４０に回動可能に支持される。第１ヒンジ部４２は、例えば、第１扉２１の背面の下端部に取り付けられる。
【００６９】
第１アーム部４４は、第１ヒンジ部４２よりも上方に設けられる。この例では、第１アーム部４４が、第１ヒンジ部４２と別体に設けられ、第１ヒンジ部４２よりも上方において第１扉２１の背面に取り付けられている。第１アーム部４４は、例えば、第１ヒンジ部４２と一体的に設けてもよい。
【００７０】
図６及び図７に表したように、第２支持部３２は、第２支持本体５０と、第２ヒンジ部５２と、第２アーム部５４と、を有する。第２支持本体５０は、スライド機構３４のスライドレール３４ａに上下方向に移動可能に支持される。第２ヒンジ部５２は、回転軸５２ａを介して第２支持本体５０に回動自在に支持される。また、第２ヒンジ部５２は、第２扉２２の背面に取り付けられている。これにより、第２扉２２が、第２ヒンジ部５２を介して第２支持本体５０に回動可能に支持される。第２ヒンジ部５２は、例えば、第２扉２２の背面の上端部に取り付けられる。第２アーム部５４は、第２ヒンジ部５２よりも下方に設けられる。
【００７１】
スライド機構３４は、例えば、第１ベース部６０と、第１可動部６２と、第１カム板６４と、第２ベース部７０と、第２可動部７２と、第２カム板７４と、連結板８０と、第１スライドレール８１と、第２スライドレール８２と、を有する。
【００７２】
第１ベース部６０は、スライド機構３４のスライドレール３４ａに保持される。第１ベース部６０は、上下方向や前後方向などに実質的に移動しない。第２ベース部７０は、第１ベース部６０と同様に、スライド機構３４のスライドレール３４ａに保持される。なお、図３では、図示を容易にするために、便宜的に、第１ベース部６０や第２ベース部７０などを図示を省略している。また、反対に、図４〜図７では、図示を容易にするために、便宜的に、スライドレール３４ａの図示を省略している。
【００７３】
第１スライドレール８１及び第２スライドレール８２は、上下方向に延びる。第１スライドレール８１及び第２スライドレール８２は、例えば、スライドレール３４ａ内に収納されている。第１スライドレール８１及び第２スライドレール８２のそれぞれの一端は、第１ベース部６０に接続されている。第１スライドレール８１及び第２スライドレール８２のそれぞれの他端は、第２ベース部７０に接続されている。換言すれば、第１スライドレール８１及び第２スライドレール８２の下端が、第１ベース部６０に接続され、第１スライドレール８１及び第２スライドレール８２の上端が、第２ベース部７０に接続される。
【００７４】
第１支持本体４０及び第２支持本体５０は、スライドレール３４ａに支持されて上下方向に移動するとともに、第１スライドレール８１及び第２スライドレール８２に沿って上下方向に移動する。
【００７５】
第１スライドレール８１は、上下方向に延びる第１スライド溝８１ａを有する。第２スライドレール８２は、上下方向に延びる第２スライド溝８２ａを有する。第１スライド溝８１ａは、第１扉２１が上下方向に移動する際のガイドとなる。第２スライド溝８２ａは、第２扉２２が上下方向に移動する際のガイドとなる。すなわち、第１スライドレール８１は、第１扉２１用のスライドレールであり、第２スライドレール８２は、第２扉２２用のスライドレールである。
【００７６】
図８は、実施形態に係る収納扉の一部を拡大して模式的に表す分解斜視図である。  
図５及び図８に表したように、第１ベース部６０の収納スペースＳＰの内側を向く側面６０ａには、第１スライドレール８１の第１スライド溝８１ａと連続する溝部６０ｂが設けられている。溝部６０ｂは、上下方向に延びる。溝部６０ｂの下端付近には、前方に向かって略三角形状に突出する凸部６０ｃが設けられている。また、溝部６０ｂの下端付近及び凸部６０ｃの部分は、左右方向に貫通する貫通孔状に形成されている。
【００７７】
第１アーム部４４の一部は、第１扉２１が第１閉じ位置にある状態において、第１ベース部６０の側面６０ａと対向する。第１アーム部４４は、収納スペースＳＰの外側に向かって突出する係合突起４４ａを有する。係合突起４４ａは、例えば、丸棒状である。係合突起４４ａは、第１扉２１が第１閉じ位置にある状態において、第１ベース部６０の凸部６０ｃの部分に挿通される。
【００７８】
第１可動部６２は、前後方向に移動可能に第１ベース部６０に取り付けられている。第１可動部６２は、溝部６０ｂ及び凸部６０ｃと対向する位置に配置される。第１可動部６２は、収納スペースＳＰの内側を向く側面に設けられた溝部６２ａを有する。溝部６２ａは、上下方向に延びる。第１可動部６２は、溝部６２ａを溝部６０ｂと対向させた位置と、溝部６２ａを凸部６０ｃと対向させた位置と、の間で前後方向に移動可能に第１ベース部６０に取り付けられる。溝部６２ａの前後方向の幅は、第１アーム部４４の係合突起４４ａの前後方向の幅（直径）に対応している。第１可動部６２は、第１扉２１が第１閉じ位置にある状態において、溝部６２ａを凸部６０ｃと対向させ、凸部６０ｃに挿通された係合突起４４ａと係合する。また、第１可動部６２は、収納スペースＳＰの外側を向く側面に設けられた係合突起６２ｂをさらに有する。係合突起６２ｂは、例えば、丸棒状である。
【００７９】
第１支持本体４０は、第１可動部６２と当接する傾斜面状の当接面４０ａを有する。第１支持本体４０は、第１扉２１の第１閉じ位置から第１開き位置への移動の際に、当接面４０ａの傾斜に沿って第１可動部６２を後方側に移動させる。
【００８０】
第１カム板６４は、例えば、上下方向に延びる平板状である。第１カム板６４は、第１ベース部６０の収納スペースＳＰの外側を向く側面と対向して設けられる。第１カム板６４は、上下方向に移動可能に第１ベース部６０に取り付けられている。第１カム板６４は、上下方向に対して傾斜した方向に略直線状に延びるカム溝６４ａを有する。カム溝６４ａは、第１可動部６２の係合突起６２ｂと係合している。
【００８１】
第１カム板６４の上端は、連結板８０の下端と接続されている。連結板８０の上端は、第２カム板７４の下端と接続されている。これにより、第１カム板６４と第２カム板７４とが、連結板８０を介して連結される。
【００８２】
第２ベース部７０、第２可動部７２、及び第２カム板７４のそれぞれの構成は、第１ベース部６０、第１可動部６２、及び第１カム板６４のそれぞれの構成と同様である。
【００８３】
第２ベース部７０の収納スペースＳＰの内側を向く側面７０ａには、第２スライドレール８２の第２スライド溝８２ａと連続する溝部７０ｂが設けられている。溝部７０ｂは、上下方向に延びる。溝部７０ｂの上端付近には、後方に向かって略三角形状に突出する凸部７０ｃが設けられている。また、溝部７０ｂの上端付近及び凸部７０ｃの部分は、左右方向に貫通する貫通孔状に形成されている。
【００８４】
第２アーム部５４の一部は、第２扉２２が第２閉じ位置にある状態において、第２ベース部７０の側面７０ａと対向する。第２アーム部５４は、収納スペースＳＰの外側に向かって突出する係合突起５４ａを有する。係合突起５４ａは、例えば、丸棒状である。係合突起５４ａは、第２扉２２が第２閉じ位置にある状態において、第２ベース部７０の凸部７０ｃの部分に挿通される。
【００８５】
第２可動部７２は、前後方向に移動可能に第２ベース部７０に取り付けられている。第２可動部７２は、溝部７０ｂ及び凸部７０ｃと対向する位置に配置される。第２可動部７２は、収納スペースＳＰの内側を向く側面に設けられた溝部７２ａを有する。溝部７２ａは、上下方向に延びる。第２可動部７２は、溝部７２ａを溝部７０ｂと対向させた位置と、溝部７２ａを凸部７０ｃと対向させた位置と、の間で前後方向に移動可能に第２ベース部７０に取り付けられる。溝部７２ａの前後方向の幅は、第２アーム部５４の係合突起５４ａの前後方向の幅（直径）に対応している。第２可動部７２は、第２扉２２が第１閉じ位置にある状態において、溝部７２ａを凸部７０ｃと対向させ、凸部７０ｃに挿通された係合突起５４ａと係合する。また、第２可動部７２は、収納スペースＳＰの外側を向く側面に設けられた係合突起７２ｂをさらに有する。係合突起７２ｂは、例えば、丸棒状である。
【００８６】
第２支持本体５０は、第２可動部７２と当接する傾斜面状の当接面５０ａを有する。第２支持本体５０は、第２扉２２の第２閉じ位置から第２開き位置への移動の際に、当接面５０ａの傾斜に沿って第２可動部７２を前方側に移動させる。
【００８７】
第２カム板７４は、例えば、上下方向に延びる平板状である。第２カム板７４は、第２ベース部７０の収納スペースＳＰの外側を向く側面と対向して設けられる。第２カム板７４は、上下方向に移動可能に第２ベース部７０に取り付けられている。第２カム板７４は、上下方向に対して傾斜した方向に略直線状に延びるカム溝７４ａを有する。カム溝７４ａは、第２可動部７２の係合突起７２ｂと係合している。
【００８８】
図９〜図１２は、実施形態に係る収納扉の一部を拡大して模式的に表す部分側面図である。  
図９〜図１２は、第１扉２１を第１閉じ位置から第１開き位置に向けて移動させ始めた状態を模式的に表す。図９〜図１２は、それぞれ図４〜図７の表す部分に対応している。
【００８９】
図９及び図１０に表したように、第１扉２１を第１閉じ位置から第１開き位置に向けて移動させると、第１扉２１の上方への移動にともなって第１支持本体４０が上方に移動する。第１支持本体４０が上方に移動すると、当接面４０ａと第１可動部６２との当接により、当接面４０ａの傾斜に沿って第１可動部６２が後方に移動する。
【００９０】
第１可動部６２が後方に移動すると、溝部６２ａと係合突起４４ａとの係合により、第１アーム部４４が第１可動部６２とともに後方に移動する。これにより、第１扉２１が第１ヒンジ部４２の回転軸４２ａを軸に回動し、第１側端面２１ｂが後方に移動するように第１扉２１を傾斜させることができる。
【００９１】
また、第１可動部６２が後方に移動すると、溝部６２ａが凸部６０ｃと対向した状態から、溝部６２ａが溝部６０ｂと対向した状態となる。これにより、第１アーム部４４の係合突起４４ａが、溝部６０ｂを介して第１スライドレール８１の第１スライド溝８１ａに侵入し、第１扉２１が、第１スライドレール８１に沿って上方に移動することが可能となる。従って、第１支持部３１及びスライド機構３４では、第１扉２１を第２扉２２に接近させる方向への操作のみで、第１扉２１を第１閉じ位置から第１開き位置に移動させることができる。
【００９２】
さらに、第１可動部６２が後方に移動すると、第１可動部６２の係合突起６２ｂと第１カム板６４のカム溝６４ａとの係合により、第１カム板６４が、上方に移動する。第１カム板６４が上昇すると、連結板８０を介して第２カム板７４も上昇する。これにより、第１扉２１の第１閉じ位置から第１開き位置への移動の開始と同時に第２扉２２を移動させることが可能となる。
【００９３】
図１１及び図１２に表したように、第２カム板７４が上昇すると、第２カム板７４のカム溝７４ａと第２可動部７２の係合突起７２ｂとの係合により、第２可動部７２が前方に移動する。
【００９４】
第２可動部７２が前方に移動すると、第２可動部７２の溝部７２ａと第２アーム部５４の係合突起５４ａとの係合により、第２アーム部５４が第２可動部７２とともに前方に移動する。これにより、第２扉２２が第２ヒンジ部５２の回転軸５２ａを軸に回動し、第２側端面２２ｂが前方に移動するように第２扉２２を傾斜させることができる。すなわち、第１扉２１の第１閉じ位置から第１開き位置への移動に連動させて、第１扉２１との干渉を避けるように第２扉２２を移動させることができる。
【００９５】
このように、第１支持部３１と第２支持部３２とスライド機構３４とは、第１扉２１の第１閉じ位置から第１開き位置への移動の操作力によって第１扉２１を傾斜させるとともに、第１扉２１の第１閉じ位置から第１開き位置への移動の操作力を機械的に第２扉２２に伝達することにより、第２扉２２を移動させる。
【００９６】
第１扉２１を第１開き位置から第１閉じ位置に移動させる場合には、上記と反対の手順により、第１扉２１の第１開き位置から第１閉じ位置への移動の操作力が機械的に第２扉２２に伝達され、第２扉２２が移動した位置（傾斜した状態）から第２閉じ位置に戻る。第１支持部３１及びスライド機構３４では、第１扉２１を第２扉２２から離間させる方向への操作のみで、第１扉２１を第１開き位置から第１閉じ位置に移動させることができる。
【００９７】
また、第２扉２２を第２閉じ位置から第２開き位置に移動させる場合には、上記と同様の手順により、第２扉２２の第２閉じ位置から第２開き位置への移動の操作力が、機械的に第１扉２１及び第２扉２２に伝達され、第１扉２１及び第２扉２２が傾斜する。
【００９８】
第２扉２２を第２閉じ位置から第２開き位置に移動させる際には、第２支持本体５０の下方への移動にともなって、当接面５０ａと第２可動部７２との当接により、当接面５０ａの傾斜に沿って第２可動部７２が前方に移動する。第２可動部７２が前方に移動すると、溝部７２ａが凸部７０ｃと対向した状態から、溝部７２ａが溝部７０ｂと対向した状態となる。これにより、第２アーム部５４の係合突起５４ａが、溝部７０ｂを介して第２スライドレール８２の第２スライド溝８２ａに侵入し、第２扉２２が、第２スライドレール８２に沿って下方に移動することが可能となる。
【００９９】
以上、説明したように、本実施形態に係る収納扉１４によれば、直線状に延びるスライドレール３４ａに沿って第１支持部３１及び第１扉２１をスライド移動させることで、第１扉２１を第１閉じ位置から第１開き位置に移動させることができ、第１支持部３１と第２支持部３２との前後方向の位置関係をずらす必要が無い。これにより、スライド機構３４の奥行をコンパクトにすることが可能となる。従って、デザイン性を高めるためにスライド機構３４を隠蔽した場合にも、収納棚１２の収納スペースＳＰを大きく確保することができるスライド式の収納扉１４を提供することができる。
【０１００】
また、収納扉１４では、第１扉２１の第１閉じ位置から第１開き位置への移動に応じて、第１扉２１及び第２扉２２の一方を傾斜させることにより、第１開き位置において第１扉２１と第２扉２２とを前後に重なり合わせることができる。これにより、第１扉２１と第２扉２２とがフラットな状態から第１支持部３１及び第１扉２１をスライドレール３４ａに沿って直線状に移動させるようにした場合にも、第１扉２１及び第２扉２２の少なくとも一方に折り畳み機構などを設けることが不要となる。従って、第１扉２１及び第２扉２２を一枚板状に形成することが可能となり、よりデザイン性を向上させることができる。
【０１０１】
例えば、第１扉２１及び第２扉２２の少なくとも一方を折り畳み、スライド移動の方向における幅を短くすることにより、第１扉２１と第２扉２２とがフラットな状態から第１支持部３１及び第１扉２１をスライドレール３４ａに沿って直線状に移動できるようにしてもよい。この場合には、第１開き位置において、幅を短くした状態の第１扉２１と第２扉２２とを隣接させてもよい。第１扉２１と第２扉２２とは、第１開き位置において必ずしも前後に重なり合わなくてもよい。
【０１０２】
また、収納扉１４では、第１扉２１及び第２扉２２の一方を傾斜させつつ、第１扉２１と第２扉２２とを平行に近付けるように、第１扉２１及び第２扉２２の他方を傾斜させることにより、第１扉２１を第１開き位置に移動させた際に第１扉２１と第２扉２２との間に設けられる隙間を小さくすることでき、開放時のデザイン性をより向上させることができる。また、第１扉２１を第１開き位置に移動させた際に第１扉２１と第２扉２２との間に設けられる隙間を小さくすることで、第１開き位置における収納スペースＳＰの開放量を大きくすることができる。例えば、第１側端面２１ｂを第２支持部３２の付近まで移動させ、第１扉２１と第２扉２２との重なり量を大きくすることができる。そして、これにより、例えば、第１扉２１を開放する操作にて、第２扉２２の後方に位置する収納スペースＳＰに対しても物品を出し入れし易くすることができ、使い勝手を向上させることができる。
【０１０３】
また、収納扉１４では、第１扉２１の第１閉じ位置から第１開き位置への移動の操作力によって第１扉２１を傾斜させるとともに、操作力を機械的に第２扉２２に伝達することにより、第２扉２２を傾斜させる。これにより、第１扉２１及び第２扉２２を傾斜させる構成を、簡単な構成で実現することができる。
【０１０４】
なお、操作力を機械的に伝達する機構は、上記に限ることなく、第１扉２１と第２扉２２との間で操作力を伝達可能な任意の構成でよい。また、スライド機構３４は、操作力を機械的に伝達する構成に限ることなく、例えば、第１扉２１の移動をセンサなどで検出し、検出結果に応じてモータなどを駆動することにより、第２扉２２を傾斜させる構成などでもよい。
【０１０５】
また、収納扉１４では、第１扉２１及び第２扉２２のどちらもスライド移動可能とすることにより、収納扉１４の使い勝手をより向上させることができる。例えば、第１扉２１及び第２扉２２を上下に隣接させ、第１扉２１及び第２扉２２を上下にスライド移動させる場合には、使用者の高さに合わせた最適な高さで第１扉２１及び第２扉２２の開閉が可能となる。また、例えば、第１扉２１及び第２扉２２を左右に隣接させ、第１扉２１及び第２扉２２を左右にスライド移動させる場合には、左右どちらからでも開閉することが可能となり、使用場所の限定などを抑制することができる。
【０１０６】
また、収納扉１４では、収納棚１２がキッチン空間に設置される。これにより、スペースが限られるキッチン空間においても、デザイン性を維持しつつ、収納棚１２の収納スペースＳＰを大きく確保することができる。
【０１０７】
図１３は、実施形態に係る収納扉を備えたキャビネットの変形例を模式的に表す側面図である。  
なお、上記実施形態と機能・構成上実質的に同じものには、同符号を付し、詳細な説明は、省略する。  
上記実施形態では、第１扉２１の第１閉じ位置から第１開き位置への移動に応じて、第１支持部３１を軸に第１扉２１を回動させることにより、第１側端面２１ｂが後方に移動するように第１扉２１を傾斜させるとともに、第２支持部３２を軸に第２扉２２を回動させることにより、第２側端面２２ｂが前方に移動するように第２扉２２を傾斜させている。
【０１０８】
上記と反対に、図１３に表したように、第１扉２１の第１閉じ位置から第１開き位置への移動に応じて、第１支持部３１を軸に第１扉２１を回動させることにより、第１側端面２１ｂが前方に移動するように第１扉２１を傾斜させるとともに、第２支持部３２を軸に第２扉２２を回動させることにより、第２側端面２２ｂが後方に移動するように第２扉２２を傾斜させてもよい。また、上記実施形態では、第１扉２１と第２扉２２とを傾斜させているが、第１扉２１のみを前方側に傾斜させてもよいし、第２扉２２のみを前方側に傾斜させてもよい。
【０１０９】
図１４（ａ）〜図１４（ｃ）は、実施形態に係る収納扉を備えたキャビネットの変形例を模式的に表す側面図である。  
図１４（ａ）〜図１４（ｃ）に表したように、この例では、第１側端面２１ｂ及び第２側端面２２ｂが、傾斜面状に形成されている。第１側端面２１ｂ及び第２側端面２２ｂは、例えば、後方に向かって下降傾斜する傾斜面状である。また、第１側端面２１ｂ及び第２側端面２２ｂは、例えば、全閉状態において略平行である。
【０１１０】
第２支持部３２は、第２扉２２を回動可能に支持する。これにより、この例では、第１扉２１の第１閉じ位置から第１開き位置への移動に応じて、第１側端面２１ｂと第２側端面２２ｂとが当接し、第２扉２２が、第１側端面２１ｂ及び第２側端面２２ｂの傾斜に沿って傾斜する。
【０１１１】
このように、第２扉２２は、第１扉２１との当接によって傾斜させるようにしてもよい。これにより、例えば、第１扉２１の操作力を機械的に第２扉２２に伝達して第２扉２２を傾斜させる構成などと比べて、より簡単な構成で第２扉２２を傾斜させることができる。一方で、操作力を機械的に伝達する構成では、例えば、第１側端面２１ｂ及び第２側端面２２ｂを前面２１ａや前面２２ａに対して略直交する面とすることができ、収納扉１４のデザイン性をより向上させることができる。
【０１１２】
なお、図１４（ａ）〜図１４（ｃ）では、第２扉２２を後方側に傾斜させているが、これに限ることなく、第１側端面２１ｂ及び第２側端面２２ｂの傾斜を逆向きにすることにより、第２扉２２を前方側に傾斜させるようにしてもよい。
【０１１３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、キャビネット１０、収納扉１４などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１１４】
１０ キャビネット、  １２ 収納棚、  １４ 収納扉、  ２１ 第１扉、  ２２ 第２扉、  ３１ 第１支持部、  ３２ 第２支持部、  ３４ スライド機構、  ３４ａ スライドレール、  ３６ 側面パネル、  ３８ 上面パネル、  ４０ 第１支持本体、  ４２ 第１ヒンジ部、  ４４ 第１アーム部、  ５０ 第２支持本体、  ５２ 第２ヒンジ部、  ５４ 第２アーム部、  ６０ 第１ベース部、  ６２ 第１可動部、  ６４ 第１カム板、  ７０ 第２ベース部、  ７２ 第２可動部、  ７４ 第２カム板、  ８０ 連結板、  ８１ スライドレール、  ８２ スライドレール
【図１】
2020026658.tif 000003
【図２】
2020026658.tif 000004
【図３】
2020026658.tif 000005
【図４】
2020026658.tif 000006
【図５】
2020026658.tif 000007
【図６】
2020026658.tif 000008
【図７】
2020026658.tif 000009
【図８】
2020026658.tif 000010
【図９】
2020026658.tif 000011
【図１０】
2020026658.tif 000012
【図１１】
2020026658.tif 000013
【図１２】
2020026658.tif 000014
【図１３】
2020026658.tif 000015
【図１４】
2020026658.tif 000016